(57)【要約】【課題】砂山を作る作業や砂山の砂を除去するための掻き出し作業が不要で、施工性の向上が図れる高架橋支承部の鞘管およびその鞘管を用いた施工方法を提供する。【解決手段】下部構造側橋台１と上部構造側桁部２とを可動性を有して支承する高架橋支承部の鞘管を用いた施工方法において、鍔付の鞘管３の鞘部３ａを支承用穴２ａに桁部２の下面側より挿入し桁部２に鍔付の鞘管３を固定する工程と、橋台１の棒状の軸部４を、桁部２の支承用穴２ａおよび鍔付の鞘管３に挿入する工程と、支承用穴２ａと鞘部３ａとの隙間にモルタルを充填する工程と、を含むことを特徴とする。【選択図】図１
2008069569.tif 000002
【特許請求の範囲】
【請求項１】
橋の下部構造側橋台の上面に垂設された棒状の軸部を、上部構造側桁部に設けた支承用穴に挿入し、支承部を介して下部構造側橋台と上部構造側桁部とを可動性を有して支承する高架橋支承部の鞘管において、
前記軸部が挿入可能な内径と前記支承用穴に挿入可能な外径を有する中空筒状の鞘部と、
この鞘部の底部から径方向に鞘部の外径より突出し突出した形状が前記支承用穴より大きな板状に形成された鍔部と、を備えた
ことを特徴とする高架橋支承部の鞘管。
【請求項２】
前記中空筒状の鞘部の断面形状は、楕円形状あるいは長円形状である
ことを特徴とする請求項１に記載の高架橋支承部の鞘管。
【請求項３】
請求項１または２に記載の高架橋支承部の鞘管を用いて、下部構造側橋台と上部構造側桁部とを可動性を有して支承する高架橋支承部の施工方法において、
鍔付の前記鞘管の鞘部を前記支承用穴に前記上部構造側桁部の下面側より挿入し前記上部構造側桁部に鍔付の前記鞘管を固定する工程と、
前記下部構造側橋台の棒状の軸部を、前記上部構造側桁部の支承用穴および鍔付の前記鞘管に挿入する工程と、
前記支承用穴と前記鞘部との隙間にモルタルまたはコンクリートを充填する工程と、を含む
ことを特徴とする高架橋支承部の鞘管を用いた施工方法。
【発明の詳細な説明】
【技術分野】
【０００１】
本発明は、支承部を介して下部構造側橋台と上部構造側桁部とを可動性を有して支承する高架橋支承部の施工技術に関する。
【背景技術】
【０００２】
橋の上部構造側の桁部２は、図４に示すように、橋台（下部構造）１間に架設されている。かかる桁部２の両端を支持するものが、桁部２の端部下面と橋台１等の上端の間に介在する支承部３０，３０である。なお、支承部には固定支承と、可動性を有して支承する可動支承とがあり、例えば、桁部の一端にある支承部３０を固定支承とし、他端にある支承部３０を可動支承にして支承している場合もある。
【０００３】
次に、従来の可動性を有して支承する支承部３０の施工について、図３（ａ）の平面図および図３（ｂ）の側断面図を用いて説明する。なお、図３は、既に施工済みの桁部２を橋台１間に架設する場合を示し、桁部２には支承用穴２ａが穿設されているものとする。
すなわち、従来の支承部３０の施工は、橋台１に設置されている鋼棒（棒状軸部）４を桁部２の支承用穴２ａに挿入した状態で設置した後、支承用穴２ａ内で鋼棒４に鞘管３３をかぶせる。次に、支承用穴２ａ内の鞘管３３外周と桁部２との隙間にモルタル５等を流し込み、鞘管３３の筒部内側の空間を残した状態で支承用穴２ａをモルタルで固める。
【０００４】
ところで、桁部２との隙間にモルタル５等を流し込む際、モルタル５が橋台１側へ漏れ出さないようにするためにシールを行わなければならない。かかるシールの施工方法として、従来は、橋台１に砂山３１を作り、砂山３１で合板等のプレート（シール用合板）３２を桁部２に押し付けてモルタル５の漏れを防いでいる。
【０００５】
以上の説明では、既に施工済みの桁部２（プレキャストコンクリートの桁部）を橋台１間に架設するものとして説明したが、桁部を場所打ちコンクリートで施工する場合は、橋台間に桁部用木製型枠を組み立て、この桁部用木製型枠の支承用穴に相当する型枠部分に鋼棒（棒状軸部）を挿入した状態で設置した後、鋼棒（棒状軸部）に鞘管をかぶせ、桁部用木製型枠にコンクリートを打設する時、鞘管外周と桁部との隙間にコンクリートを流し込み、鞘管の筒部内側の空間を残した状態で桁部を施工する。この場合、前述のシールの施工方法で用いたシール用合板は不要となる。また、この場合、型枠の種類によっては橋台に砂山を作る作業が不要となることもある。
【特許文献１】特開平８−３３３７０２号公報
【発明の開示】
【発明が解決しようとする課題】
【０００６】
かかる支承部の施工において、桁部２と橋台１の隙間は非常に狭いため、モルタルが硬化した後砂山３１の砂を除去するための掻き出し作業が大変になる。
【０００７】
また、プレキャストコンクリートの桁部の施工の場合、砂山３１の形がうまく形作れないと、砂山３１で桁部２側に押し付けたシール用合板３２が傾斜するなど安定性が悪く、橋台側にモルタルが漏れだした場合に、砂と一体化して硬化してしまう危険性があった。この場合は、砂山３１の砂を除去するための掻き出し作業が一段と大変になる。
【０００８】
このように、従来の支承部の施工方法では、橋台１に砂山３１を作る工程と、砂山３１でシール用合板３２を桁部２に押し付ける工程（プレキャストコンクリートの桁部の施工の場合）とに、手間がかかり施工性向上の阻害要因になっていた。
【０００９】
本発明は、このような問題点を解決するためになされたものであり、砂山の砂を除去するための掻き出し作業が不要で、施工性の向上が図れる高架橋支承部の鞘管およびその鞘管を用いた施工方法を提供することを技術的課題とする。
【課題を解決するための手段】
【００１０】
本発明は、前述の課題を解決するために、以下の手段を採用した。
すなわち、本発明の高架橋支承部の鞘管は、橋の下部構造側橋台の上面に垂設された棒状の軸部を、上部構造側桁部に設けた支承用穴に挿入し、支承部を介して下部構造側橋台と上部構造側桁部とを可動性を有して支承する高架橋支承部の鞘管において、
前記軸部が挿入可能な内径と前記支承用穴に挿入可能な外径を有する中空筒状の鞘部と、
この鞘部の底部から径方向に鞘部の外径より突出し突出した形状が前記支承用穴より大きな板状に形成された鍔部と、を備えたことを特徴とする。
【００１１】
本発明の構成によれば、鞘管の底部を帽子のつばのような形状とすることにより、鞘管の設置と桁部の設置が同時に施工可能となる。また、プレキャストコンクリートの桁部の施工であっても、シール用合板を用いないので、合板のずれによるモルタル等（モルタルまたはコンクリート）の流出の危険性が低下し、万が一モルタル等が流出した際も、砂山が無いために単に漏れたモルタル等が硬化するだけであり後工程に影響を与えるようなことはなく、安全性が向上する。
【００１２】
また、本発明の高架橋支承部の鞘管において、前記中空筒状の鞘部の断面形状は、楕円形状あるいは長円形状である構成であってもよい。この構成によれば、下部構造側橋台と上部構造側桁部とを楕円形状あるいは長円形状の長手方向に可動性を有して支承することができる。
【００１３】
更に、本発明の高架橋支承部の鞘管を用いた施工方法は、下部構造側橋台と上部構造側桁部とを可動性を有して支承する高架橋支承部の鞘管を用いた施工方法において、
鍔付の前記鞘管の鞘部を前記支承用穴に前記上部構造側桁部の下面側より挿入し前記上部構造側桁部に鍔付の鞘管を固定する工程と、
前記下部構造側橋台の棒状の軸部を、前記上部構造側桁部の支承用穴および鍔付の前記鞘管に挿入する工程と、
前記支承用穴と前記鞘部との隙間にモルタルまたはコンクリートを充填する工程と、を含むことを特徴とする。
【００１４】
本発明の構成によれば、砂山を作る作業や砂山の砂を除去するための掻き出し作業が不要となり、大幅な施工性の向上が期待できる。
【発明の効果】
【００１５】
本発明によれば、砂山を作る作業や砂山の砂を除去するための掻き出し作業が不要で、施工性の向上が図れる高架橋支承部の鞘管およびその鞘管を用いた施工方法を提供することができる。
【発明を実施するための最良の形態】
【００１６】
以下に図面を参照して、この発明の高架橋支承部の鞘管およびその鞘管を用いた施工方法を実施するための最良の形態を例示的に詳しく説明する。
【００１７】
なお、この実施の形態の高架橋は、図４に示すように、橋の上部構造側の桁部２が、橋台（下部構造）１間に架設されている。かかる桁部２の両端を支持するものが、桁部２の
端部下面と橋台１等の上端の間に介在する支承部３０，３０である。また、桁部２の両端を支持する支承部３０，３０のうち一端は固定支承であり、他端３０は可動性を有して支承する可動支承とする。この可動支承部３０は橋の幅方向（図４の左右方向）に可動性を有する。更に、この実施の形態の桁部は、プレキャストコンクリートの桁部の場合で説明する。
【００１８】
そして、可動支承部３０は、図１（ｂ）に示すように、橋の下部構造側橋台１の上面に垂設された棒状の軸部（鋼棒）４を、上部構造側桁部２に設けた支承用穴２ａに挿入し、支承部３０を介して下部構造側橋台１と上部構造側桁部２とを橋の幅方向（図４の左右方向）に可動性を有して支承する。
【００１９】
（高架橋支承部に用いる鞘管の説明）
次に、この実施の形態に係る高架橋支承部に用いる鞘管３を説明する。
すなわち、高架橋支承部に用いる鞘管３は、図２に示すように、鞘部３ａと鞘部３ａの底部に設けられた鍔部３ｂにより構成される。
【００２０】
鞘部３ａは、中空筒状に形成され、その中空穴の径は、鋼棒４が挿入可能な内径と桁部２に設けた支承用穴２ａに挿入可能な外径を有している。また、その中空穴の断面形状は、楕円形状あるいは長円形状である。なお、支承部３０は、橋の桁部長手方向（図４の左右方向）に可動性を有して支承する場合、鞘部３ａの楕円形状あるいは長円形状の長手方向を橋の桁部長手方向に合わせて設置する。鞘部３ａは、鋼製のものを用いる。
【００２１】
鍔部３ｂは、鞘部３ａの底部から径方向に鞘部３ａの外径より突出し、突出した鍔形状が支承用穴２ａより大きな径を有する板状に形成されている。鍔部３ｂは、鋼製のものを用いる。そして、鞘部３ａと鍔部３ｂとの接合部は、モルタル等（モルタルまたはコンクリート）が流出しないように溶接されている。
【００２２】
（鞘管を用いた高架橋支承部の施工方法の説明）
次に、鞘管３を用いた高架橋支承部の施工方法を図１に基づき説明する。
高架橋支承部の鞘管３を用いた施工方法は、図１（ｂ）に示すように、上部構造側桁部２に鞘管（鍔付鞘管）３を固定する工程と、上部構造側桁部２に設けた支承用穴２ａおよび鍔付鞘管３に鋼棒４を挿入する工程と、モルタル等を充填する工程と、を有する。
【００２３】
桁部２に鍔付鞘管３を固定する工程では、鍔付鞘管３の鞘部３ａを支承用穴２ａに上部構造側桁部２の下面側より挿入する。次に、隙間よりモルタル等が漏れ出さないように桁部２の下面と鍔部３ｂの上面を密着固定する。なお、固定する際に、鞘部３ａの楕円形状あるいは長円形状の長手方向を橋の桁部長手方向に合わせて固定する。
【００２４】
モルタル５等を充填する工程では、図１（ａ）に示すように、支承用穴２ａ内壁と鞘部３ａ外壁とで形成される隙間に例えばモルタル５を充填し、モルタル５を硬化させることで桁部２と鞘部３ａを一体化させる。
【００２５】
この実施の形態によれば、鞘管３の底部を帽子の鍔のような形状（鍔部３ｂ）とすることにより、鞘管３の設置と桁部２の設置が同時に施工可能となる。従って、従来のように、砂山を作る作業が不要となる。このことから、万が一モルタル等が流出したとしても、砂山が無いために単に漏れたモルタル等が硬化するだけであり後工程に影響を与えるようなことはなく、安全性が向上する。
【００２６】
また、この実施の形態によれば、下部構造側橋台１と上部構造側桁部２とを楕円形状あるいは長円形状の長手方向に可動性を有して支承することができる。
【００２７】
以上からこの実施の形態にかかる鞘管を用いた高架橋支承部の施工方法は、砂山を作る作業や砂山の砂を除去するための掻き出し作業が不要となり、大幅な施工性の向上が期待できる。
【００２８】
なお、この実施の形態では桁部をプレキャストコンクリートの桁部の場合で説明したが、本発明は、桁部を場所打ちコンクリートで施工する場合も含まれる。すなわち、橋台間に桁部用木製型枠を組み立て、この桁部用木製型枠の支承用穴に相当する型枠部分に鍔付鞘管を隙間よりモルタル等が漏れ出さないように桁部下面と鍔部上面を密着固定して設置し、桁部用木製型枠にコンクリートを打設する際に、鞘管外周と桁部との隙間にコンクリートを流し込み、鞘管の筒部内側の空間を残した状態で桁部を施工する。
【図面の簡単な説明】
【００２９】
【図１】本発明にかかる鞘管を用いた高架橋支承部の施工方法の概略説明図である。
【図２】本発明にかかる鞘管の斜視図である。
【図３】従来の高架橋支承部の施工方法の概略説明図である。
【図４】高架橋の正面図であり、橋台と桁部を支承する説明図である。
【符号の説明】
【００３０】
１…橋台
２…桁部
３…鞘管（鍔付鞘管）
３ａ…鞘部
３ｂ…鍔部
４…棒状の軸部（鋼棒）
５…モルタル
３０…支承部
３１…砂山
３２…合板
３３…鞘管
【図１】
2008069569.tif 000003
【図２】
2008069569.tif 000004
【図３】
2008069569.tif 000005
【図４】
2008069569.tif 000006